(57)【要約】【課題】  自動販売機と、携帯通信装置と、携帯通信装置課金システムとをインターネットを介してリンクさせ、自動販売機からの商品購入を通信請求書に反映させる商品購入方法を提供する。【解決手段】  本発明の商品購入方法は、携帯電話１８のアカウントを用いた、自動販売機１０からの商品購入方法であって、携帯電話１８に撮像メカニズム２４を設け、自動販売機１０にディスプレイ１２を設け、上記撮像メカニズム２４を用いて上記自動販売機１０のディスプレイ１２を撮像し、上記携帯電話１８で撮像したデータを復号化することで、販売機サーバ３０のＵＲＬと上記自動販売機１０の識別番号を割り出し、上記識別番号を上記販売機サーバ３０に送信し、上記販売機サーバ３０により、上記自動販売機１０による商品の引き渡しを許可し、携帯通信装置会計サーバ２８にある携帯通信装置ユーザアカウントに課金する。【選択図】  図１
2005141754.tif 000002
【特許請求の範囲】
【請求項１】
携帯通信装置のユーザアカウントを用いて自動販売機から商品を購入する商品購入方法であって、
携帯通信装置に撮像メカニズムが設けられ、
自動販売機に、販売機サーバのＵＲＬ（Uniform Resource Locater）と上記自動販売機の認識番号とを含む情報を符号化した状態で表示するデータディスプレイが設けられたとき、
上記携帯通信装置は、
上記撮像メカニズムを用いて上記自動販売機のデータディスプレイに表示された情報を撮像して得られた情報を復号化することで、販売機サーバのＵＲＬと上記自動販売機の識別番号を割り出すと共に、割り出した販売機サーバのＵＲＬを用いて上記携帯通信装置と該販売機サーバとの通信を確立した後、上記識別番号を上記販売機サーバに送信し、
上記販売機サーバは、
上記自動販売機における商品の引き渡しを許可する許可信号を該自動販売機に送信すると共に、上記携帯通信装置の携帯通信装置会計サーバにある携帯通信装置ユーザアカウントに対して上記商品代金を課金指示する指示信号を該携帯通信装置会計サーバに送信することを特徴とする商品購入方法。
【請求項２】
上記データディスプレイは、上記販売機サーバが所定の間隔で変更する変更可能に構成されていることを特徴とする請求項１に記載の商品購入方法。
【請求項３】
上記データディプレイは、
販売機サーバＵＲＬを表示した後、
上記販売機サーバＵＲＬによって上記携帯通信装置と上記販売機サーバとの通信が確立された場合に、上記自動販売機の固有の識別番号を表示すると共に、該固有の識別番号を販売機サーバに送信することを特徴とする請求項２に記載の商品購入方法。
【請求項４】
上記携帯通信装置は位置確認装置を備え、
上記携帯通信装置は、確認した位置情報を上記販売機サーバに送信することを特徴とする請求項１に記載の商品購入方法。
【請求項５】
購入される商品の説明を上記携帯通信装置のディスプレイに表示することを特徴とする請求項１に記載の商品購入方法。
【請求項６】
携帯通信装置のユーザアカウントを用いて自動販売機から商品を購入する商品購入方法であって、
携帯通信装置に撮像メカニズムが設けられ、
自動販売機に、販売機サーバのＵＲＬ（Uniform Resource Locater）と上記自動販売機の認識番号とを含む情報を符号化した状態で表示すると共に、表示内容を変更可能に表示するデータディスプレイが設けられたとき、
上記携帯通信装置は、
上記撮像メカニズムを用いて上記自動販売機のデータディスプレイに表示された情報を撮像して得られた情報を復号化することで、販売機サーバのＵＲＬと上記自動販売機の識別番号を割り出すと共に、割り出した販売機サーバのＵＲＬを用いて上記携帯通信装置と該販売機サーバとの通信を確立した後、上記識別番号を上記販売機サーバに送信し、
上記販売機サーバは、
上記自動販売機における商品の引き渡しを許可する許可信号を該自動販売機に送信すると共に、上記携帯通信装置の携帯通信装置会計サーバにある携帯通信装置ユーザアカウントに対して上記商品代金を課金指示する指示信号を該携帯通信装置会計サーバに送信することを特徴とする商品購入方法。
【請求項７】
上記データディプレイは、
販売機サーバＵＲＬを表示した後、
上記販売機サーバＵＲＬによって上記携帯通信装置と上記販売機サーバとの通信が確立された場合に、上記自動販売機の固有の識別番号を表示すると共に、該固有の識別番号を販売機サーバに送信することを特徴とする請求項６に記載の商品購入方法。
【請求項８】
上記携帯通信装置は位置確認装置を備え、
上記携帯通信装置は、確認した位置情報を上記販売機サーバに送信することを特徴とする請求項６に記載の商品購入方法。
【請求項９】
上記販売機サーバは、上記変更可能なデータディスプレイを所定の間隔で変更することを特徴とする請求項６に記載の商品購入方法。
【請求項１０】
購入される商品の説明を上記携帯通信装置のディスプレイに表示することを特徴とする６に記載の商品購入方法。
【請求項１１】
携帯通信装置と、該携帯通信装置の利用料を課金する課金サーバとが通信ネットワークで接続されると共に、自動販売機と、該自動販売機で販売する商品に関する情報を蓄積した販売機サーバとが上記通信ネットワークで接続された商品購入システムであって、
上記自動販売機は、上記販売機サーバのＵＲＬと該自動販売機の認識番号とを含む情報を符号化した状態で表示するデータディスプレイを備え、
上記携帯通信装置は、
撮像メカニズムと、
上記撮像メカニズムによって、上記データディスプレイで表示された情報を撮像し、得られた画像情報を復号化してテキスト情報に変換する復号化部と、
上記復号化部によって復号化されたテキスト情報から、販売機サーバのＵＲＬと自動販売機の認識番号情報を含む販売機サーバ特定情報を抽出する特定情報抽出部と、
上記特定情報抽出部によって抽出された販売機サーバのＵＲＬによって、上記販売機サーバとの接続を確立させる通信部とを有することを特徴とする商品購入システム。
【請求項１２】
上記販売機サーバは、
上記携帯通信装置との通信を確立した状態で、上記自動販売機に商品の販売許可を指示する許可信号を送信すると共に、上記自動販売機で販売された商品の代金を上記携帯通信装置の携帯通信装置会計サーバにある該携帯通信装置ユーザアカウントに対して上記商品代金を課金指示する指示信号を該携帯通信装置会計サーバに送信する通信部を備えていることを特徴とする請求項１１に記載の商品購入システム。
【請求項１３】
携帯通信装置のユーザアカウントを用いて、自動販売機から商品を購入する商品購入プログラムであって、
携帯通信装置に撮像メカニズムが設けられ、
自動販売機に、販売機サーバのＵＲＬ（Uniform Resource Locater）と上記自動販売機の認識番号とを含む情報を符号化した状態で表示するデータディスプレイが設けられとき、
上記撮像メカニズムを用いて上記自動販売機のデータディスプレイに表示された情報を撮像して得られた情報を復号化することで、販売機サーバのＵＲＬと上記自動販売機の識別番号を割り出すと共に、割り出した販売機サーバのＵＲＬを用いて上記携帯通信装置と該販売機サーバとの通信を確立した後、上記識別番号を上記販売機サーバに送信する手順と、
上記自動販売機における商品の引き渡しを許可する許可信号を該自動販売機に送信すると共に、上記携帯通信装置の携帯通信装置会計サーバにある携帯通信装置ユーザアカウントに対して上記商品代金を課金指示する指示信号を該携帯通信装置会計サーバに送信する手順とをコンピュータに実行させる商品購入プログラム。
【請求項１４】
携帯通信装置のユーザアカウントを用いて自動販売機から商品を購入する商品購入プログラムであって、
携帯通信装置に撮像メカニズムが設けられ、
自動販売機に、販売機サーバのＵＲＬ（Uniform Resource Locater）と上記自動販売機の認識番号とを含む情報を符号化した状態で表示すると共に、表示内容を変更可能に表示するデータディスプレイが設けられたとき、
上記撮像メカニズムを用いて上記自動販売機のデータディスプレイに表示された情報を撮像して得られた情報を復号化することで、販売機サーバのＵＲＬと上記自動販売機の識別番号を割り出すと共に、割り出した販売機サーバのＵＲＬを用いて上記携帯通信装置と該販売機サーバとの通信を確立した後、上記識別番号を上記販売機サーバに送信する手順と、
上記自動販売機における商品の引き渡しを許可する許可信号を該自動販売機に送信すると共に、上記携帯通信装置の携帯通信装置会計サーバにある携帯通信装置ユーザアカウントに対して上記商品代金を課金指示する指示信号を該携帯通信装置会計サーバに送信する手順とをコンピュータに実行させる商品購入プログラム。
【請求項１５】
請求項１３および１４に記載の商品購入プログラムを記録したコンピュータ読取可能な記録媒体。
【発明の詳細な説明】
【技術分野】
【０００１】
本発明は、携帯通信装置を用いて自動販売機から商品を購入する商品購入方法、商品購入システム、商品購入プログラム及び記録媒体に関するものである。
【背景技術】
【０００２】
ダスト（Ｄｕｒｓｔ）らの特許文献１（ＷＯ９８３８７６１（１９９８年９月３日発行））には、ホストのインターネットプロトコル（ＩＰ）アドレスを、直線状すなわち一次元のバーコードに符号化する方法が記載されている。このバーコードによれば、第三者を介することなく、指定されたホストコンピュータに直接リンクすることができる。
【０００３】
しかしながら、上記特許文献１には、バーコードをＬＣＤから読み取ることも、バーコードの表示位置を正確に特定する固有の値をバーコードに含めることも開示されていない。また、上記特許文献１には、バーコードの状態をリモートサーバの制御下に置き、動的なものとすることも開示されていない。
【０００４】
フィンライソン（Ｆｉｎｌａｙｓｏｎ）らの特許文献２（ＷＯ０１９７１０５（２００１年１２月２０日発行））には、携帯商取引システムであって、携帯電話ネットワークを介して携帯電話とデータの送受信を行うよう接続されている少なくとも１つのサーバコンピュータと、商品の詳細を記憶している少なくとも１つのデータベースを有し、商品特定データを上記電話から受信し、データベースにアクセスして上記電話にデータを返信する携帯商取引システムが記載されている。
【０００５】
上記特許文献２において、端末は、携帯商取引端末であって、携帯電話と、データ入力に接続されているバーコードスキャナとを有する携帯商取引端末である。そして、バーコードで表した商品コードを新聞広告に掲載する。
【０００６】
クノレス（Ｋｎｏｗｌｅｓ）の特許文献３（米国特許第６，３４５，７６４（２００２年２月１２日発行））には、携帯用インターネット接続端末が記載されている。
【０００７】
上記特許文献３において、端末は、ＨＴＭＬ文書へのアクセスに使用する情報（ＵＲＬ等）が符号化されたバーコード記号を読み取る、手で支持可能な筐体に入ったバーコード記号リーダを有している。遠距離通信モデムは、インターネットに接続された、ＧＵＩベースのブラウザとインターネットサービスプロバイダ（ＩＳＰ）との双方向遠距離通信リンクを確立するため、コンピューティングプラットフォームに作動可能に接続されている。ＵＲＬが符号化されたバーコード記号を読み取ると、ブラウザプログラムは、インターネット上の対応するＨＴＭＬ文書に自動的にアクセスし、上記手で支持可能な筐体と一体化された画像表示パネルに該ＨＴＭＬ文書を表示する。
【０００８】
また、特許文献４（ＪＰ２００１１５４９６５）には、ＵＲＬをスキャンしてコンピュータに取り込むためにバーコードリーダを用いることが記載されている。
【０００９】
さらに、フィリップ（Ｐｈｉｌｌｉｐｓ）の特許文献５（ＷＯ０２０９３６２（２００２年１月３１日発行））には、ＰＤＡ等の携帯通信装置とプリンタ等の出力装置との無線接続が記載されている。ＰＤＡのユーザがＰＤＡにプリンタからバーコードを読み取らせると、検出された近隣にある装置のリストから上記プリンタが特定される。したがって、適切な接続開始信号を、誤って他の装置に送信することなく上記プリンタに送信することができる。
【特許文献１】ＷＯ９８３８７６１（１９９８年９月３日発行）
【特許文献２】ＷＯ０１９７１０５（２００１年１２月２０日発行）
【特許文献３】米国特許第６，３４５，７６４（２００２年２月１２日発行）
【特許文献４】日本国公開特許公報２００１−１５４９６５（２００１年６月８日公開）
【特許文献５】ＷＯ０２０９３６２（２００２年１月３１日発行）
【発明の開示】
【発明が解決しようとする課題】
【００１０】
ところで、従来、自動販売機と、携帯通信装置と、携帯通信装置課金システムとをインターネットを介してリンクし、自動販売機からの商品購入を通信請求書に反映させるためのシステムは実現されていなかった。
【００１１】
そこで、本発明は、自動販売機と、携帯通信装置と、携帯通信装置課金システムとをインターネットを介してリンクし、自動販売機からの商品購入を通信請求書に反映させることを目的とし、さらに、以下の点を目的としている。
【００１２】
本発明の目的は、自動販売機と携帯通信装置との光リンクを提供することにある。
【００１３】
本発明の他の目的は、不正取引を防止するために、変更可能な固有のＩＤを有する自動販売機を提供することにある。
【課題を解決するための手段】
【００１４】
本発明に係る商品購入方法は、上記の目的を達成するために、携帯通信装置のユーザアカウントを用いて自動販売機から商品を購入する商品購入方法であって、携帯通信装置に撮像メカニズムが設けられ、自動販売機に、販売機サーバのＵＲＬ（Uniform Resource Locater）と上記自動販売機の認識番号とを含む情報を符号化した状態で表示するデータディスプレイが設けられたとき、上記携帯通信装置は、上記撮像メカニズムを用いて上記自動販売機のデータディスプレイに表示された情報を撮像して得られた情報を復号化することで、販売機サーバのＵＲＬと上記自動販売機の識別番号を割り出すと共に、割り出した販売機サーバのＵＲＬを用いて上記携帯通信装置と該販売機サーバとの通信を確立した後、上記識別番号を上記販売機サーバに送信し、上記販売機サーバは、上記自動販売機における商品の引き渡しを許可する許可信号を該自動販売機に送信すると共に、上記携帯通信装置の携帯通信装置会計サーバにある携帯通信装置ユーザアカウントに対して上記商品代金を課金指示する指示信号を該携帯通信装置会計サーバに送信することを特徴としている。
【００１５】
上記の構成によれば、携帯通信装置は、自動販売機に設けられたデータディスプレイに表示されている情報を撮像するだけで、販売機サーバのＵＲＬを割り当てることができる。そして、割り当てた販売機サーバのＵＲＬを用いて携帯通信装置と該販売機サーバとの間で通信リンクを確立できる。これにより、販売機サーバは、携帯通信装置のアカウントを用いて自動販売機から購入した商品の代金を携帯通信装置会計サーバにある携帯通信装置ユーザアカウントに対して課金することができる。
【００１６】
従って、自動販売機と、携帯通信装置と、携帯通信装置課金システム（携帯通信装置会計サーバ）とをインターネットを介してリンクし、自動販売機からの商品購入を通信請求書に反映させることが可能となる。
【００１７】
上記データディスプレイは、上記販売機サーバが所定の間隔で変更する変更可能に構成されていてもよい。
【００１８】
また、上記データディプレイは、販売機サーバＵＲＬを表示した後、上記販売機サーバＵＲＬによって上記携帯通信装置と上記販売機サーバとの通信が確立された場合に、上記自動販売機の固有の識別番号を表示すると共に、該固有の識別番号を販売機サーバに送信するようにしてもよい。
【００１９】
さらに、上記携帯通信装置は位置確認装置を備え、上記携帯通信装置は、確認した位置情報を上記販売機サーバに送信するようにしてもよい。
【００２０】
また、購入される商品の説明を上記携帯通信装置のディスプレイに表示するようにしてもよい。
【００２１】
本発明の商品購入方法は、上記の目的を達成するために、携帯通信装置のユーザアカウントを用いて自動販売機から商品を購入する商品購入方法であって、携帯通信装置に撮像メカニズムが設けられ、自動販売機に、販売機サーバのＵＲＬ（Uniform Resource Locater）と上記自動販売機の認識番号とを含む情報を符号化した状態で表示すると共に、表示内容を変更可能に表示するデータディスプレイが設けられたとき、上記携帯通信装置は、上記撮像メカニズムを用いて上記自動販売機のデータディスプレイに表示された情報を撮像して得られた情報を復号化することで、販売機サーバのＵＲＬと上記自動販売機の識別番号を割り出すと共に、割り出した販売機サーバのＵＲＬを用いて上記携帯通信装置と該販売機サーバとの通信を確立した後、上記識別番号を上記販売機サーバに送信し、上記販売機サーバは、上記自動販売機における商品の引き渡しを許可する許可信号を該自動販売機に送信すると共に、上記携帯通信装置の携帯通信装置会計サーバにある携帯通信装置ユーザアカウントに対して上記商品代金を課金指示する指示信号を該携帯通信装置会計サーバに送信することを特徴としている。
【００２２】
上記の構成によれば、携帯通信装置は、自動販売機に設けられたデータディスプレイに表示されている情報を撮像するだけで、販売機サーバのＵＲＬを割り当てることができる。そして、割り当てた販売機サーバのＵＲＬを用いて携帯通信装置と該販売機サーバとの間で通信リンクを確立できる。これにより、販売機サーバは、携帯通信装置のアカウントを用いて自動販売機から購入した商品の代金を携帯通信装置会計サーバにある携帯通信装置ユーザアカウントに対して課金することができる。
【００２３】
従って、自動販売機と、携帯通信装置と、携帯通信装置課金システム（携帯通信装置会計サーバ）とをインターネットを介してリンクし、自動販売機からの商品購入を通信請求書に反映させることが可能となる。
【００２４】
上記データディプレイは、販売機サーバＵＲＬを表示した後、上記販売機サーバＵＲＬによって上記携帯通信装置と上記販売機サーバとの通信が確立された場合に、上記自動販売機の固有の識別番号を表示すると共に、該固有の識別番号を販売機サーバに送信するようにしてもよい。
【００２５】
また、上記携帯通信装置は位置確認装置を備え、上記携帯通信装置は、確認した位置情報を上記販売機サーバに送信するようにしてもよい。
【００２６】
上記販売機サーバは、上記変更可能なデータディスプレイを所定の間隔で変更するようにしてもよい。
【００２７】
さらに、購入される商品の説明を上記携帯通信装置のディスプレイに表示するようにしてもよい。
【００２８】
本発明の商品購入システムは、上記の目的を達成するために、携帯通信装置と、該携帯通信装置の利用料を課金する課金サーバとが通信ネットワークで接続されると共に、自動販売機と、該自動販売機で販売する商品に関する情報を蓄積した販売機サーバとが上記通信ネットワークで接続された商品購入システムであって、上記自動販売機は、上記販売機サーバのＵＲＬと該自動販売機の認識番号とを含む情報を符号化した状態で表示するデータディスプレイを備え、上記携帯通信装置は、撮像メカニズムと、上記撮像メカニズムによって、上記データディスプレイで表示された情報を撮像し、得られた画像情報を復号化してテキスト情報に変換する復号化部と、上記復号化部によって復号化されたテキスト情報から、販売機サーバのＵＲＬと自動販売機の認識番号情報を含む販売機サーバ特定情報を抽出する特定情報抽出部と、上記特定情報抽出部によって抽出された販売機サーバのＵＲＬによって、上記販売機サーバとの接続を確立させる通信部とを有することを特徴としている。
【発明の効果】
【００２９】
本発明に係る商品購入方法、以上のように、上記携帯通信装置は、上記撮像メカニズムを用いて上記自動販売機のデータディスプレイに表示された情報を撮像して得られた情報を復号化することで、販売機サーバのＵＲＬと上記自動販売機の識別番号を割り出すと共に、割り出した販売機サーバのＵＲＬを用いて上記携帯通信装置と該販売機サーバとの通信を確立した後、上記識別番号を上記販売機サーバに送信し、上記販売機サーバは、上記自動販売機における商品の引き渡しを許可する許可信号を該自動販売機に送信すると共に、上記携帯通信装置の携帯通信装置会計サーバにある携帯通信装置ユーザアカウントに対して上記商品代金を課金指示する指示信号を該携帯通信装置会計サーバに送信する構成である。
【００３０】
それゆえ、自動販売機と、携帯通信装置と、携帯通信装置課金システム（携帯通信装置会計サーバ）とをインターネットを介してリンクさせ、自動販売機からの商品購入を通信請求書に反映させることができるという効果を奏する。
【発明を実施するための最良の形態】
【００３１】
〔実施の形態１〕
本発明は、携帯電話と、インターネットに接続された自動販売機との接続を確立し、上記携帯電話と特定の自動販売機とを関連付けるためのメカニズムを提供する。
【００３２】
本発明は、以下の２つの課題を解決する。
１．携帯通信装置でブラウザを立ち上げ所望のＵＲＬを入力する、という手間からユーザを解放し、単調で間違いの起きやすいプロセスを回避する。
２．携帯通信装置と、固有のＩＤ番号を有する自動販売機との関連付けを確立する。これは、インターネットに接続された自動販売機から、電子的決済方法を用いて商品を購入する際に非常に望ましい。
【００３３】
発明の背景の項で説明したように、携帯通信装置と自動販売機とのインタフェースを利用したビジネスモデルが存在する。撮像メカニズムを内蔵した携帯通信装置によれば、そのような取引を安全に行うことが容易となる。
【００３４】
本発明の一実施の形態について説明すれば、以下の通りである。
【００３５】
本実施の形態に係る商品売買課金システムは、図１に示すように、通信ネットワークとしてのインターネット２６を介して、携帯通信装置１８、自動販売機１０、販売機サーバ３０、携帯電話会計サーバ２８が接続されるシステムである。
【００３６】
上記自動販売機１０は、該自動販売機１０に関連付けられた固有のＩＤ番号と、関連付けられたサーバのＵＲＬとを表示するディスプレイ１２を有している。自動販売機１０の商品は商品ウインドウ１４に陳列され、販売トレイ１６を通じて引き渡される。自動販売機１０には、従来の硬貨や貨幣も使用可能であり、このことは重宝されると考えられる。ここでいう「自動販売機」には、商品又はサービスと引き換えに有価物を受け取るすべての機器が含まれる。したがって、「自動販売機」には、従来からある食料品や避妊具の販売機、現金自動預け払い機、店頭端末（ｐｏｉｎｔ−ｏｆ−ｓａｌｅ  ｔｅｒｍｉｎａｌ）等が含まれる。この自動販売機１０の詳細な説明は後述する。
【００３７】
上記携帯通信装置１８は、ディスプレイ２０と、操作入力部２２と、ＣＣＤカメラ等の撮像カメラ２４とを有している。この携帯通信装置１８は、例えば携帯電話、ＰＤＡ（Personal Digital Assistant）、ＷｉＦｉ実装コンピュータ等の機器が考えられる。しかしながら、説明の便宜のため、以下では携帯通信装置１８を携帯電話（以下、単に携帯電話１８と称する）とし、撮像カメラ２４をこの携帯電話に内蔵されたＣＣＤカメラとして説明する。この携帯電話１８の詳細な説明は後述する。
【００３８】
上述のように、上記自動販売機１０と上記携帯電話１８は、インターネット２６として知られる通信ネットワークに接続されている。また、インターネット２６には上記携帯電話１８の利用料を課金する携帯電話会計サーバ２８と、上記自動販売機１０の商品の販売管理を行う販売機サーバ３０も接続されている。また、自動販売機１０と携帯電話１８とは、光リンクによって通信確立されていてもよい。
【００３９】
上記自動販売機１０のディスプレイ１２に表示されるデータは販売機サーバ３０の制御下にあり、販売機サーバ３０はディスプレイ１２に表示されるデータを、所定のスケジュール（例えば取引終了毎）に従って何度でも変更可能なように制御している。
【００４０】
上記携帯電話１８の撮像カメラ２４は、上記ディスプレイ１２に表示されたデータを撮像し、該データを復号化する。ディスプレイ１２に表示されるデータは、バーコード形式であってもよいし、それ以外の、データを含む画像であってもよい。このデータは、自動販売機１０を制御する販売機サーバ３０のＵＲＬを定義している。つまり、上記携帯電話１８は、取得したデータを用い、インターネット２６を介して販売機サーバ３０との接続を確立する。
【００４１】
上記ディスプレイ１２の画像には、自動販売機１０を表す固有のＩＤ番号が符号化された状態で埋め込まれている。この固有のＩＤ番号は、携帯電話１８に固有の識別データとともに、インターネット接続を介して販売機サーバ３０に送信される。上記固有のＩＤ番号は、特定の自動販売機１０にその携帯電話１８があることの認証に用いられる。このリンクが確立されると、販売機サーバ３０は、携帯電話１８のユーザが選択した商品の販売を自動販売機１０に許可する。販売が完了すると、携帯電話会計サーバ２８にあるユーザのアカウントに請求金額が送信される。購入される商品の説明を携帯電話１８のディスプレイ２０に表示してもよい。
【００４２】
他の実施の形態では、ディスプレイ１２に２つの画像を別々に表示する。第１の画像には自動販売機のサーバのＵＲＬのみが含まれており、このＵＲＬを撮像カメラ２４で読み取る。販売機サーバ３０とのリンクが確立され、販売機サーバ３０は、自動販売機と携帯電話との関連付けを確立するために用いた固有のＩＤ番号の値を、ディスプレイ１２に表示させる。この実施の形態によれば、セキュリティを強化して不正な購入を防止することができる。
【００４３】
販売機サーバ３０は、インターネット２６を介して販売機サーバ３０に接続されているどの自動販売機についても、固有のＩＤ番号を変更することができる。これによっても、セキュリティを強化することができる。セキュリティの観点からは、変更可能なディスプレイ１２を使用するのが望ましい。これは、変更不可能なディスプレイ、特にバーコードステッカ等の印刷データブロックを使用すると、システムの不正使用を招きやすいためである。例えばバーコードステッカは、適切な自動販売機から、別の場所にある第２の自動販売機に貼り替えることが可能である。この場合、あるユーザが第２の自動販売機に近づいて認証を受けたとしても、この認証は実際には第１の自動販売機に対してなされたものである。よって、別の誰かは第１の自動販売機を操作し、上記ユーザのアカウントに課金して商品を手に入れることができるが、正当なユーザには商品は残らず、請求書だけが残ることになる。しかしながら、多くの場合は、自動販売機に貼り付けた従来のバーコードステッカで十分である。
【００４４】
従って、本件のディプレイ１２は、バーコードステッカのように自動販売機に貼着されるシールのようなものであってもよく、また、液晶表示装置のようなディスプレイ装置であってもよいが、セキュリティ面からはディスプレイ装置が好ましい。
【００４５】
ここで、上記のバーコード（ステッカあるいはディスプレイ装置に表示される内容）は、１次元のバーコードであってもよいし、２次元のバーコードであってもよい。
【００４６】
ここで、上記構成の商品売買課金処理システムにおける商品売買課金処理の大まかな流れについて、以下に説明する。図２は、商品売買課金処理の流れを示すシーケンス図である。
【００４７】
まず、ユーザが携帯電話１８の撮像カメラ２４を利用して、自動販売機１０のディスプレイ１２に表示された画像（マーク）を撮像する（ステップＳ１）。携帯電話１８の撮像カメラ２４によって撮像されたマークを取り込む（ステップＳ２）。このマークには、自動販売機１０に関連付けられた固有のＩＤ番号と、関連付けられたサーバのＵＲＬとに対応する復号化された情報が含まれている。
【００４８】
次に、携帯電話１８内部において、マーク解析処理を行うことで、上記のＩＤ番号情報、ＵＲＬを割り出す（ステップＳ３）。
【００４９】
続いて、携帯電話１８は、割り出したＵＲＬを用いて販売機サーバ３０との通信を確立し、解析結果のうち、ＩＤ番号を該販売機サーバ３０に送信する（ステップＳ４）。
【００５０】
次に、販売機サーバ３０は、受信したＩＤ番号から自動販売機を特定する処理を実行し（ステップＳ５）、特定した自動販売機１０に対して、商品の販売を許可するための販売許可情報を送信する。この販売許可情報を受信した時点で、自動販売機１０は、商品販売可能状態となる。
【００５１】
続いて、ユーザが、自動販売機１０の商品ウインドウ１４を観て、欲しい商品を指定する（ステップＳ７）。ここで、商品ウインドウ１４に示された商品の選択には、図示しない操作キー等の入力手段からの入力信号によって行われる。
【００５２】
そして、自動販売機１０は、商品が選択されることにより、商品の販売処理を実行し（ステップＳ８）、商品販売を行う（ステップＳ９）。ここで、販売された商品は、自動販売機１０の販売トレイ１６に排出される。
【００５３】
一方、自動販売機１０は、商品の販売が完了したことを示す販売完了情報を販売機サーバ３０に送信する。
【００５４】
販売機サーバ３０は、自動販売機１０から販売完了情報を受信すれば、該自動販売機１０を利用した携帯電話１８に対する利用料を課金するための携帯電話会計サーバ２８に課金を指示する課金指示情報を送信する。このとき、販売機サーバ３０は、上記課金指示情報に、携帯電話１８を特定するための情報（ユーザアカウント等）を含めて送信するものとする。
【００５５】
最後に、携帯電話会計サーバ２８は、受信した課金指示情報に基づいて該当する携帯電話１８に対する課金処理を実行する。
【００５６】
ここで、本実施の形態で使用する携帯電話１８の詳細な構成について、以下に説明する。図３は、携帯電話１８の概略を示すブロック図である。
【００５７】
携帯電話１８は、図３に示すように、ディスプレイ２０を構成するＬＣＤ（liquid crystal display）１、操作入力部２２を構成するキー入力部（キーパッド）２、無線通信部３、プロトコルスタック部４、閲覧処理部（ブラウザ）５、撮像カメラを構成するＣＣＤ６、ＣＣＤデコード処理部７、ＣＣＤアプリケーション処理部８を有している。
【００５８】
上記ＬＣＤ１は、撮像カメラ２４を構成するＣＣＤアプリケーション処理部８からのステータス情報を表示するようになっている。
【００５９】
上記キー入力部２は、ユーザがＬＣＤ１に表示されたステータス情報（ＣＣＤアプリケーションを実行するためのメニュー等の情報）から、希望の情報を選択するための入力手段であり、選択した情報を選択情報として上記ＣＣＤアプリケーション処理部８に送信するようになっている。
【００６０】
上記ＣＣＤアプリケーション処理部８には、上記選択情報の他に、閲覧処理部５からの製品情報も入力されるようになっている。すなわち、上記閲覧処理部５は、ネットワークに接続された無線通信部３、通信プロトコルを一時的に蓄えるプロトコルスタック部４を介して得られた情報（ここでは、製品情報）をＣＣＤアプリケーション処理部８に送信している。ここで、閲覧処理部５からＣＣＤアプリケーション処理部８へ送信する製品情報とは、例えば現在販売可能な製品ＩＤ情報、製品コスト情報等である。
【００６１】
このＣＣＤアプリケーション処理部８は、ＣＣＤ６で撮像された画像（イメージデータ）をＣＣＤデコード処理部７によってデコード処理して得られたテキストデータを受信し、このテキストデータから販売機サーバ３０のＵＲＬや自動販売機１０のＩＤ番号を割り出し、販売機サーバ特定情報として閲覧処理部５に送信するようになっている。ここで、販売機サーバ特定情報には、販売機サーバのＵＲＬ、自動販売機のＩＤ、製品のＩＤ等が含まれている。
【００６２】
つまり、閲覧処理部５では、受信した販売機サーバ３０のＵＲＬ情報をプロトコルスタック部４、無線通信部３を介してインターネット上に送信することによって、携帯電話１８と販売機サーバ３０との通信リンクを確立している。
【００６３】
また、上記ＣＣＤアプリケーション処理部８は、キー入力部２からの選択情報に基づいたアプリケーション処理を実行し、この処理で得られたデータを獲得データとしてＣＣＤデコード処理部７に送信するようになっている。
【００６４】
このＣＣＤデコード処理部７は、獲得データに基づいて、ＣＣＤ６の起動状態を制御するようになっている。
【００６５】
つまり、ＣＣＤデコード処理部７は、獲得データに基づいてＣＣＤ６の起動を停止させるための停止信号または起動させるための起動信号をスイッチングデータとして該ＣＣＤ６に送信する。
【００６６】
ここで、本実施の形態で使用する自動販売機１０の詳細な構成について、以下に説明する。図４は、自動販売機１０の概略を示すブロック図である。
【００６７】
上記自動販売機１０は、図４に示すように、ＬＣＤからなるディスプレイ１２、インターネット（ＮＥＴ）２６を介して販売機サーバ３０と接続するための通信接続部４２、商品の販売のための処理を行う販売アプリケーション処理部４３、該自動販売機１０で取り扱う各種商品情報（製品情報）を格納している製品データベース４４、上記販売アプリケーション処理部４３による処理結果に基づいて実際の製品販売を行う販売機構部４５、この販売機構部４５によって販売する製品を受け取るための販売トレイ１６を有している。
【００６８】
上記ディスプレイ１２には、販売アプリケーション処理部４３からの販売機特定情報が送信され、この情報を表示するようになっている。この販売機特定情報には、販売機サーバ３０のＵＲＬを示すバーコードや画像情報と、自動販売機１０のＩＤ番号情報が含まれている。
【００６９】
上記販売アプリケーション処理部４３は、上記の通信接続部４２に対して製品情報（販売可能な製品とその価格情報）を送信すると共に、製品Ｘを販売させるための情報を販売機構部４５に送信し、販売完了と共に、製品カウント調整情報を製品データベース４４に送信するようになっている。これらの情報は、入力される各種情報に基づいて処理した結果得られたものである。
【００７０】
一方、販売アプリケーション処理部４３には、通信接続部４２から製品情報と販売機特定情報とが送信される。ここでの製品情報とは、販売可能な製品とそのコストを要求するための情報である。また、販売機特定情報とは、販売機サーバ３０のＵＲＬと自動販売機のＩＤ番号を示すバーコードまたは画像を表示するように要求するための情報である。
【００７１】
さらに、販売アプリケーション処理部４３には、製品データベース４４から製品情報（販売可能な製品とその価格を示す情報）が送信される。
【００７２】
そして、上記販売アプリケーション処理部４３では、送信される各種情報に基づいて各種処理を実行するようになっている。
【００７３】
販売機構部４５には、販売アプリケーション処理部４３からの製品Ｘ（ユーザが購入を希望した製品）を販売するように指示する販売指示情報が送信される。
【００７４】
そして、販売機構部４５は、販売指示情報に基づいて製品Ｘを販売トレイ１６に排出する。
【００７５】
ここで、上記構成の携帯電話１８によって製品を購入する場合の購入処理の流れについて、以下に説明する。図５及び図６は、製品の購入処理の流れを示すフローチャートである。
【００７６】
まず、携帯電話の電源をＯＮする（ステップＳ２１）。ここで、ユーザが携帯電話の図示しない電源ボタンを操作することで電源をＯＮ状態にする。
【００７７】
次に、アプリケーションの選択を行う（ステップＳ２２）。ここで、ユーザは、携帯電話のディスプレイに表示されているアプリケーションをキー操作によって選択する。
【００７８】
続いて、ユーザによるコマンドの入力が行われる（ステップＳ２３）。ここでは、ＣＣＤアプリケーション処理部によって、携帯電話のディスプレイに自動販売機のバーコードあるいは画像を撮像するように促す情報が表示される。そして、ユーザが撮像コマンドを入力する。
【００７９】
そして、ＣＣＤアプリケーション処理部は、入力されたコマンドに基づいてＣＣＤデコーダを起動し（ステップＳ２４）、ＣＣＤを起動する（ステップＳ２５）。
【００８０】
続いて、ＣＣＤによって撮像されたイメージデータをテキストデータに変換する（ステップＳ２６）。ここでは、撮像された情報（イメージデータ）は符号化された情報なので、デコード（復号化）処理を行ってテキストデータに変換している。
【００８１】
上記のデコードが成功したか否かが判断される（ステップＳ２７）。ここで、デコードが成功していなければ、再試行（再撮像）が必要か否かが判断される（ステップＳ２８）。ここでの判断は、ＣＣＤデコード部において行われる。そして、再試行が必要であると判断されれば、ステップＳ２３に移行し、再試行が必要でないと判断されれば、処理を終了する。
【００８２】
一方、ステップＳ２７において、デコードが成功していれば、テキストデータのアプリケーション処理部への送信が行われる（ステップＳ２９）。
【００８３】
そして、アプリケーション処理部は、受信したテキストデータから販売機サーバ特定の解析処理を行い（ステップＳ３０）、解析した結果のユーザへの報知を行う（ステップＳ３１）。ここで、解析した結果の報知は、携帯電話のディスプレイに販売機サーバのＵＲＬを表示させることによって実行される。
【００８４】
ここで、処理を継続するか否かが判断される（ステップＳ３２）。そして、処理を継続しない場合には、ステップＳ２８に移行し、処理を継続する場合には、販売機サーバへの接続要求を行う（ステップＳ３３）。ここでは、解析した結果得られた販売機サーバのＵＲＬを用いて接続要求を行う。
【００８５】
そして、販売機サーバへの接続が確立すると（ステップＳ３４）、製品情報の取得を行う（ステップＳ３５）。ここで、ＣＣＤアプリケーション処理部は、取得した製品情報をディスプレイに表示する。
【００８６】
次に、ユーザによる製品選択が行われ（ステップＳ３６）、選択された製品の情報をディスプレイに表示させる（ステップＳ３７）。
【００８７】
最後に、ユーザからの他の製品の購入要求の有無が判断される（ステップＳ３８）。ここで、要求が無いと判断されれば、処理を終了し、要求があると判断されれば、ステップＳ２３に移行する。
【００８８】
続いて、上記自動販売機１０によって製品を販売する場合の販売処理の流れについて、以下に説明する。図７は、製品の販売処理の流れを示すフローチャートである。
【００８９】
まず、自動販売機は、販売機サーバとの接続を確立する（ステップＳ５１）。
【００９０】
続いて、販売アプリケーション処理部の起動を行う（ステップＳ５２）。この販売アプリケーション処理部の起動によって、販売機サーバのＵＲＬと自動販売機のＩＤ番号（販売機ＩＤ）をバーコードあるいは画像で自動販売機のディスプレイに表示させるようになっている。
【００９１】
次に、販売機サーバのＵＲＬと販売機ＩＤとをフォーマットし（ステップＳ５３）、そのフォーマットされた販売機サーバのＵＲＬと販売機ＩＤとを自動販売機のディスプレイに表示させるように販売処理部に送信する（ステップＳ５４）。
【００９２】
続いて、販売要求を受信したか否かを判断する（ステップＳ５５）。ここで、販売要求を受信していれば、ステップＳ６０に移行し、受信していなければ、ステップＳ５６に移行する。
【００９３】
ステップＳ５６では、利用可能なリスト要求を受信したか否かを判断する。ここで、利用可能なリストとは、現時点で販売可能な製品のリストを言う。
【００９４】
このステップＳ５６において、利用可能なリスト要求を受信していなければ、ステップＳ５５に移行し、販売要求を受信したか否かを判断する。
【００９５】
一方、ステップＳ５６において利用可能なリスト要求を受信した場合、利用可能な製品の製品情報を要求する（ステップＳ５７）。そして、製品情報の提供を行う（ステップＳ５８）。この製品情報の提供は、商品ウインドウ１４にて行われる。そして、販売機サーバへの製品情報の提供を行い（ステップＳ５９）、再びステップＳ５５に移行する。
【００９６】
また、ステップＳ５５において、販売要求を受信していれば、製品Ｘの要求を行う（ステップＳ６０）。そして、要求された製品Ｘを販売する（ステップＳ６１）ここで、販売機構部は、販売要求を受けて製品Ｘを排出用のトレイに排出する。
【００９７】
続いて、販売アプリケーション処理部は、製品Ｘのカウント要求を行う（ステップＳ６２）。この要求を受けて、製品データベース内の製品Ｘのカウントが実行される（ステップＳ６３）。
【００９８】
〔実施の形態２〕
本発明の他の実施の形態では、携帯電話と特定の自動販売機との関連の確認に、ＧＰＳ（Global Positioning System）やＡＦＬＴ（Advanced Forward Link Trilateration）等の位置確認装置を用いる。この位置確認装置を用いれば、携帯電話と自動販売機がどの程度近接しているかを確認でき、直前に述べたシナリオは回避できる。自動販売機の設置場所は販売サーバが把握しており、電話に備えられた位置確認メカニズムを通じて、電話と自動販売機が近接しているということが確認される。
【００９９】
以下に、本実施の形態にかかる商品売買課金システムの概要について説明する。
【０１００】
図８は、本実施の形態にかかる商品売買課金システムの概要を示すブロック図である。このブロック図は、図１に示すブロック図とほぼ同じ構成をしており、同じ構成の部材には同一の符号を付記している。図８に示すブロック図のうち、図１のブロック図と異なるのは、ＧＰＳによる携帯電話の位置検出の構成が追加されている点である。本実施の形態では、この構成上の相違点について説明する。
【０１０１】
本実施の形態では、図８に示すように、図１に示す携帯電話１８の代わりにＧＰＳ受信部５０を備えた携帯電話１１８が使用される。
【０１０２】
このＧＰＳ受信部５０は、ＧＰＳ衛星５１から位置情報を示す信号を受信するようになっており、携帯電話１１８の現在位置を正確に検出できるようになっている。
【０１０３】
図９は、上記携帯電話１１８の概略構成ブロック図を示す。
【０１０４】
上記携帯電話１１８は、図９に示すように、ＧＰＳからの信号を受信する信号受信部５０ａと、信号受信部５０ａにより受信した信号をデコードするＧＰＳデコーダ５０ｂとを有している。
【０１０５】
上記ＧＰＳデコーダ５０ｂによって復号化された信号は、位置情報としてＣＣＤアプリケーション処理部８に送信される。これにより、ＣＣＤアプリケーション処理部８は、携帯電話１１８の位置情報を販売機サーバ特定情報に含ませて閲覧処理部に送信する。
【０１０６】
ここで、上記構成の携帯電話１１８による商品の購買処理の流れについて、図１０及び図１１を参照しながら以下に説明する。図１０及び図１１は、商品の購入処理の流れを示すフローチャートである。
【０１０７】
このフローチャートは、前記実施の形態１の図５及び図６に示すフローチャートとほぼ同じであり、上述したように、ＧＰＳによる位置情報に関連する処理が異なる。
【０１０８】
図１０に示すステップＳ８１〜ステップＳ９２は、図５に示すステップＳ２１〜ステップＳ３２における処理と同じであるので、その説明は省略する。
【０１０９】
従って、ステップＳ９３以降の説明を行う。
【０１１０】
ステップＳ９２において、ＣＣＤアプリケーション処理部により処理を継続する場合に、位置情報を取得する（ステップＳ９３）。ここでは、上述のように、携帯電話１１８に備えられたＧＰＳ受信部５０と、ＧＰＳ衛星５１とを用いて位置情報を取得する。
【０１１１】
続いて、販売機サーバへの接続要求を行う（ステップＳ９４）。ここでは、解析した結果得られた販売機サーバのＵＲＬを用いて接続要求を行う。
【０１１２】
そして、販売機サーバへの接続が確立すると（ステップＳ９５）、ステップＳ９３において取得した位置情報が適切であるか否かを判断する（ステップＳ９６）。
【０１１３】
ここで、位置情報が適切であれば、製品情報の取得を行う（ステップＳ９７）。ここで、ＣＣＤアプリケーション処理部は、取得した製品情報をディスプレイに表示する。
【０１１４】
次に、ユーザによる製品選択が行われ（ステップＳ９８）、選択された製品の情報をディスプレイに表示させる（ステップＳ９９）。
【０１１５】
最後に、ユーザからの他の製品の購入要求の有無を判断する（ステップＳ１００）。ここで、要求が無いと判断されれば、処理を終了し、要求があると判断されれば、ステップＳ８３に移行する。
【０１１６】
また、ステップＳ９６において、位置情報が適切でない場合、携帯電話１１８のディスプレイにエラーメッセージを表示する（ステップＳ１０１）。このエラーメッセージの表示を完了した後、ステップＳ１００に以降して、ユーザからの他の製品の購入要求の有無を判断する。
【０１１７】
以上、自動販売機と携帯電話との光リンク、及びその課金メカニズムを開示した。これらは、添付の特許請求の範囲によって定義される本発明の範囲内で、さらなる変更が可能である。
【０１１８】
本発明の商品購入方法は、携帯通信装置のアカウントを用いた、自動販売機からの商品購入方法であって、携帯通信装置に撮像メカニズムを設け、自動販売機にデータディスプレイを設け、上記撮像メカニズムを用いて上記自動販売機のデータディスプレイを撮影し、上記携帯通信装置で上記データディスプレイを復号化することで、販売サーバのＵＲＬと上記自動販売機の識別番号を割り出し、上記識別番号を上記販売サーバに送信し、上記販売サーバにより、上記自動販売機による商品の引き渡しを許可し、携帯通信装置会計サーバにある携帯通信装置ユーザアカウントに課金する、自動販売機からの商品購入方法。
【０１１９】
また、自動販売機にデータディスプレイを設ける上記の構成には、上記販売サーバが所定の間隔で変更する変更可能なデータディスプレイを設ける構成を含む自動販売機からの商品購入方法。
【０１２０】
さらに、第１のディスプレイは販売サーバＵＲＬを含み、上記携帯通信装置と上記販売サーバとの通信が確立されると、上記販売サーバは上記自動販売機に信号を送信して固有の識別番号を上記自動販売機のディスプレイに表示させ、上記固有の識別番号は、上記自動販売機が商品を引き渡す前に上記携帯通信装置によって読み取られ上記販売サーバに送信される自動販売機からの商品購入方法。
【０１２１】
また、上記携帯通信装置は位置確認装置を備え、上記携帯通信装置の位置が上記販売サーバに送信され、上記販売サーバは、上記自動販売機が商品を引き渡す前に、上記携帯通信装置が上記自動販売機に近接していることを確認する自動販売機からの商品購入方法。
【０１２２】
また、購入される商品の説明を上記携帯通信装置のディスプレイに表示する自動販売機からの商品購入方法。
【０１２３】
また、本発明の商品購入方法は、携帯通信装置のアカウントを用いた、自動販売機からの商品購入方法であって、携帯通信装置に撮像メカニズムを設け、自動販売機に変更可能なデータディスプレイを設け、上記撮像メカニズムを用いて上記自動販売機のデータディスプレイを撮影し、上記携帯通信装置で上記データディスプレイを復号化することで、販売サーバのＵＲＬと上記自動販売機の識別番号を割り出し、上記識別番号を上記販売サーバに送信し、上記販売サーバにより、上記自動販売機による商品の引き渡しを許可し、携帯通信装置会計サーバにある携帯通信装置ユーザアカウントに課金する自動販売機からの商品購入方法。
【０１２４】
また、第１のディスプレイは販売サーバＵＲＬを含み、上記携帯通信装置と上記販売サーバとの通信が確立されると、上記販売サーバは上記自動販売機に信号を送信して固有の識別番号を上記自動販売機のディスプレイに表示させ、上記固有の識別番号は、上記自動販売機が商品を引き渡す前に上記携帯通信装置によって読み取られ上記販売サーバに送信される自動販売機からの商品購入方法。
【０１２５】
さらに、上記携帯通信装置は位置確認装置を備え、上記携帯通信装置の位置が上記販売サーバに送信され、上記販売サーバは、上記自動販売機が商品を引き渡す前に、上記携帯通信装置が上記自動販売機に近接していることを確認する自動販売機からの商品購入方法。
【０１２６】
また、上記販売サーバは、上記変更可能なデータディスプレイを所定の間隔で変更する自動販売機からの商品購入方法。
【０１２７】
また、購入される商品の説明を上記携帯通信装置のディスプレイに表示する自動販売機からの商品購入方法。
【０１２８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２９】
なお、上記実施形態の商品購入システムの各部や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の商品購入システムの各種機能および各種処理を実現することができる。また、上記プログラムをリムーバブルな記録媒体に記録することにより、任意のコンピュータ上で上記の各種機能および各種処理を実現することができる。
【０１３０】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１３１】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１３２】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１３３】
また、インターネットを含む通信ネットワークを接続可能なシステム構成であれば、通信ネットワークからプログラムをダウンロードするように流動的にプログラムを担持する記録媒体であることが好ましい。
【０１３４】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０１３５】
本発明は、特定の種類の商品が購入されたことを製造業者が特定するために用いることができる。この購入情報は、同じ製造業者の関連商品についてユーザに知らせるために用いることができる。関連商品に関する情報は、携帯電話に関連付けられたブラウザに送信してもよいし、従来からあるユーザのＥメールアドレスに送信してもよい。
【図面の簡単な説明】
【０１３６】
【図１】本発明の実施形態を示すものであり、商品売買課金システムの要部構成を示すブロック図である。
【図２】本発明の商品売買課金システムの処理の概要を示すシーケンス図である。
【図３】図１に示す商品売買課金システムを構築する携帯電話の要部構成を示すブロック図である。
【図４】図１に示す商品売買課金システムを構築する自動販売機の要部構成を示すブロック図である。
【図５】図３に示す携帯電話における購買処理の流れを示すフローチャートである。
【図６】図３に示す携帯電話における購買処理の流れを示すフローチャートである。
【図７】図４に示す自動販売機における販売処理の流れを示すフローチャートである。
【図８】本発明の他の実施形態を示すものであり、商品売買課金システムの要部構成を示すブロック図である。
【図９】図８に示す商品売買課金システムを構築する携帯電話の要部構成を示すブロック図である。
【図１０】図９に示す携帯電話における購買処理の流れを示すフローチャートである。
【図１１】図９に示す携帯電話における購買処理の流れを示すフローチャートである。
【符号の説明】
【０１３７】
１  ＬＣＤ
２  キー入力部
３  無線通信部
４  プロトコルスタック部
５  閲覧処理部
６  ＣＣＤ
７  ＣＣＤデコード処理部
８  ＣＣＤアプリケーション処理部
１０  自動販売機
１２  ディスプレイ（データディスプレイ）
１４  商品ウインドウ
１６  販売トレイ
１８  携帯電話（携帯通信装置）
２０  ディスプレイ
２２  操作入力部
２４  撮像カメラ（撮像メカニズム）
２６  インターネット（通信ネットワーク）
２８  携帯電話会計サーバ（携帯通信装置会計サーバ）
３０  販売機サーバ
４２  通信接続部
４３  販売アプリケーション処理部
４４  製品データベース
４５  販売機構部
５０  ＧＰＳ受信部（位置確認装置）
５０ａ  信号受信部
５０ｂ  ＧＰＳデコーダ
５１  ＧＰＳ衛星
１１８  携帯電話（携帯通信装置）
【図１】
2005141754.tif 000003
【図２】
2005141754.tif 000004
【図３】
2005141754.tif 000005
【図４】
2005141754.tif 000006
【図５】
2005141754.tif 000007
【図６】
2005141754.tif 000008
【図７】
2005141754.tif 000009
【図８】
2005141754.tif 000010
【図９】
2005141754.tif 000011
【図１０】
2005141754.tif 000012
【図１１】
2005141754.tif 000013